(57)【要約】      （修正有）【課題】オフィスの椅子座板と組み合わせて、身長や足の長さにかかわらず使用できる折り畳みフットレストを提供する。【解決手段】折り畳みフットレストは、二本の回転アームと、二本の回転アーム間の搭載面と、を含み、二本の回転アームと椅子座板はヒンジ接続される。【選択図】図２
0003168740.tif 000002
【実用新案登録請求の範囲】
【請求項１】
折り畳みフットレストであって、
二本の回転アームと、
前記二本の回転アーム間の搭載面と、
を含み、前記二本の回転アームと前記椅子座板はヒンジ接続されることを特徴とする折り畳みフットレスト。
【請求項２】
前記二本の回転アームの一端が、前記椅子座板の両辺にヒンジ接続され、前記二本の回転アームのもう一端は、前記搭載面とヒンジ接続されることを特徴とする請求項１に記載の折り畳みフットレスト。
【請求項３】
前記搭載面の外側両辺に、弾性素子に接合される半球形突起を設置し、前記二本の回転アームの内側に、凹槽、又は、通孔を設置し、前記半球形突起が、前記凹槽、又は、前記通孔と結合することを特徴とする請求項２に記載の折り畳みフットレスト。
【請求項４】
前記二本の回転アームの内側は、それぞれ、二個の制限ブロックを設置することを特徴とする請求項３に記載の折り畳みフットレスト。
【請求項５】
前記二本の回転アームの一端は、前記椅子座板の両辺にヒンジ接続され、前記搭載面が、前記二回転アーム間に固定されることを特徴とする請求項１に記載の折り畳みフットレスト。
【請求項６】
前記二本の回転アームの一端は、前記椅子座板の両辺にヒンジ接続され、前記搭載面は、トラックにより、前記二回転アームの間に滑動設置されることを特徴とする請求項１に記載の折り畳みフットレスト。
【請求項７】
前記椅子座板下方に、固定ブロックを設置し、長いヒンジ軸が前記固定ブロックを通過し、前記二本の回転アームが、前記ヒンジ軸により、前記固定ブロックとヒンジ接続されることを特徴とする請求項１に記載の折り畳みフットレスト。
【請求項８】
前記回転アームと前記固定ブロック間に、レンチを設置し、前記固定ブロック内に、二個の固定部を設置し、前記レンチの頭部を前記固定部に挿入することを特徴とする請求項７に記載の折り畳みフットレスト。
【請求項９】
前記固定部は、ノッチ、通孔、又は、凹槽であることを特徴とする請求項８に記載の折り畳みフットレスト。
【請求項１０】
搭載面は柔軟な布曲面、布平面、網状曲面、皮曲面、又は、皮平面であることを特徴とする請求項１に記載の折り畳みフットレスト。
【考案の詳細な説明】
【技術分野】
【０００１】
本考案は、オフィス家具に関するものであって、特に、折り畳みフットレストに関するものである。
【背景技術】
【０００２】
オフィスで働く人達の多くが、長時間、両脚を机の下で曲げた状態で座っているので、血液循環の不良、両脚の無力等が生じ、各種疾病に至ることがある。現在、オフィス家具の椅子には、折り畳み式のフットレストがついておらず、休息時間に両脚を伸ばせないので、疲労を緩和することができない。よって、オフィスの椅子に組み合わせて使用できる折り畳みフットレストが必要である。
【考案の概要】
【考案が解決しようとする課題】
【０００３】
本考案は、折り畳みフットレストを提供し、上述の問題を解決することを目的とする。
【課題を解決するための手段】
【０００４】
本考案の折り畳みフットレストは、二本の回転アームと、二本の回転アーム間の搭載面と、を含み、二本の回転アームと椅子座板はヒンジ接続される。
二本の回転アームの一端が、椅子座板の両辺にヒンジ接続され、二本の回転アームのもう一端は、搭載面とヒンジ接続される。
搭載面の外側両辺に、弾性素子に接合される半球形突起を設置し、二本の回転アームの内側に、凹槽、又は、通孔を設置し、半球形突起が、凹槽、又は、通孔と結合して、搭載面の収容状態時に、定位効果を有することができる。
二本の回転アームの内側は、それぞれ、二個の制限ブロックを設置し、制限ブロックは、展開状態と収縮状態時に、搭載面を支承するのに用いられる。
搭載面を反転しやすくするため、搭載面下面に、とってを設置する。
別の実施例において、二本の回転アームの一端は、椅子座板の両辺にヒンジ接続され、搭載面が、二回転アーム間に固定される。
更に別の実施例において、二本の回転アームの一端は、椅子座板の両辺にヒンジ接続され、搭載面は、トラックにより、二回転アームの間に滑動設置される。
更に具体的には、椅子座板下方に、固定ブロックを設置し、長いヒンジ軸が固定ブロックを通過し、二本の回転アームが、ヒンジ軸により、固定ブロックとヒンジ接続される。
回転アームと固定ブロック間に、レンチを設置し、固定ブロック内に、二個の固定部を設置し、レンチの頭部を固定部に挿入し、これにより、回転アームの展開状態と収縮状態下で、レンチの頭部が、二個の異なる固定部を挿入し、回転アームが定位効果を得る。レンチを外に翻し、頭部が固定部から抜かれ、回転アームが回転する。
固定部は、ノッチ、通孔、又は、凹槽である。
搭載面は柔軟な布曲面で、布平面、網曲面、網平面、皮曲面、又は、皮平面で、柔軟な材料により、両足が快適である。
【考案の効果】
【０００５】
本考案は、オフィスの椅子座板と組み合わせて使用し、休息時間に、折り畳みフットレストを引き出して、搭載面を展開させれば、両足をまっすぐに伸ばして、搭載面上に置くことができるので、血液循環を促進し、両足の疲労を緩和する。本フットレストは、どのような身長や足の長さ、形状にかかわらず、使用できる。また、本考案の構造は簡潔で、不使用時に、搭載面を二回転アーム間に入れ（搭載面が二回転アーム間に固定されている場合は、このステップは省略できる）、回転アームと搭載面を折り畳んで、椅子の下に放置すれば、空間を占有しない。
【図面の簡単な説明】
【０００６】
【図１Ａ】本考案の実施例１のフットレスト展開状態を示す図である。
【図１Ｂ】本考案の実施例１のフットレスト展開状態を示す図である。
【図２】図１Aの構造分解図である。
【図３Ａ】固定部の形態図である。
【図３Ｂ】固定部の形態図である。
【図３Ｃ】固定部の形態図である。
【図４】実施例２の構造図である。
【図５】実施例３の構造図である。
【実施例１】
【０００７】
図１A、図１B、及び、図２で示されるように、折り畳みフットレストは、二本の回転アーム１と、二本の回転アーム１間の搭載面２と、を含み、二本の回転アーム１と椅子座板３はヒンジ接続される。二本の回転アーム１の一端が、椅子座板３の両辺にヒンジ接続され、二本の回転アーム１のもう一端は、搭載面２とヒンジ接続される。
搭載面２の外側両辺に、弾性素子４１に接合される半球形突起４を設置し、二本の回転アーム１の内側に、凹槽５（又は、通孔５’）を設置し、半球形突起４が凹槽５（又は、通孔５’）と結合して、搭載面２の収容状態時に、定位効果を有することができる。
二本の回転アーム１の内側は、それぞれ、二個の制限ブロック６を設置し、制限ブロック６は、展開状態と収縮状態時に、搭載面２を支承するのに用いられる。
搭載面２を反転しやすくするため、搭載面２下面に、とって７を設置する。
椅子座板３下方に、固定ブロック８を設置し、長いヒンジ軸９が固定ブロック８を通過し、二本の回転アーム１が、ヒンジ軸９により、固定ブロック８とヒンジ接続される。
回転アーム１と固定ブロック８間に、レンチ１０を設置し、固定ブロック８内に、二個の固定部８１を設置し、レンチ１０の頭部１１を固定部に挿入し、これにより、回転アーム１の展開状態と収縮状態下で、レンチ１０の頭部１１が、二個の異なる固定部８１を挿入し、回転アーム１が定位効果を得る。レンチ１０を外に翻し、頭部１１が固定部８１から抜かれ、回転アーム１が回転する。図３A〜図３Cで示されるように、固定部８１は、ノッチ８１１、通孔８１２、又は、凹槽８１３である。
搭載面２は柔軟な網状の曲面で、柔軟な材料により、両足が快適である。
【実施例２】
【０００８】
以下の特徴以外は、実施例１と同じである。二本の回転アーム１の一端が椅子座板３の両辺にヒンジ接続され、搭載面２が、二回転アーム１の間に固定される（図４で示される）。
【実施例３】
【０００９】
以下の特徴以外は、実施例１と同じである。二本の回転アーム１の一端が椅子座板３の両辺にヒンジ接続され、搭載面２が、トラック１２により、二回転アーム１の間に滑動設置される（図５で示される）。
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案の保護範囲は、実用新案請求の範囲で指定した内容を基準とする。
【符号の説明】
【００１０】
１…回転アーム
２…搭載面
３…椅子座板
４…半球形突起
４１…弾性素子
５…凹槽５（又は、通孔５’）
６…制限ブロック
７…とって
８…固定ブロック
８１…固定部
８１１…ノッチ
８１２…通孔
８１３…凹槽
９…ヒンジ軸
１０…レンチ
１１…頭部
１２…トラック
【図１Ａ】
0003168740.tif 000003
【図１Ｂ】
0003168740.tif 000004
【図２】
0003168740.tif 000005
【図３Ａ】
0003168740.tif 000006
【図３Ｂ】
0003168740.tif 000007
【図３Ｃ】
0003168740.tif 000008
【図４】
0003168740.tif 000009
【図５】
0003168740.tif 000010
【手続補正書】
【提出日】平成23年4月18日(2011.4.18)
【手続補正１】
【補正対象書類名】実用新案登録請求の範囲
【補正対象項目名】全文
【補正方法】変更
【補正の内容】
【実用新案登録請求の範囲】
【請求項１】
折り畳みフットレストであって、二本の回転アームと、
前記二本の回転アーム間の搭載面と、を含み、前記二本の回転アームと椅子座板はヒンジ接続されることを特徴とする折り畳みフットレスト。
【請求項２】
前記二本の回転アームの一端が、前記椅子座板の両辺にヒンジ接続され、前記二本の回転アームのもう一端は、前記搭載面とヒンジ接続されることを特徴とする請求項１に記載の折り畳みフットレスト。
【請求項３】
前記搭載面の外側両辺に、弾性素子に接合される半球形突起を設置し、前記二本の回転ア
ームの内側に、凹槽、又は、通孔を設置し、前記半球形突起が、前記凹槽、又は、前記通孔と結合することを特徴とする請求項２に記載の折り畳みフットレスト。
【請求項４】
前記二本の回転アームの内側は、それぞれ、二個の制限ブロックを設置することを特徴とする請求項３に記載の折り畳みフットレスト。
【請求項５】
前記二本の回転アームの一端は、前記椅子座板の両辺にヒンジ接続され、前記搭載面が、前記二回転アーム間に固定されることを特徴とする請求項１に記載の折り畳みフットレスト。
【請求項６】
前記二本の回転アームの一端は、前記椅子座板の両辺にヒンジ接続され、前記搭載面は、トラックにより、前記二回転アームの間に滑動設置されることを特徴とする請求項１に記載の折り畳みフットレスト。
【請求項７】
前記椅子座板下方に、固定ブロックを設置し、長いヒンジ軸が前記固定ブロックを通過し
、前記二本の回転アームが、前記ヒンジ軸により、前記固定ブロックとヒンジ接続されることを特徴とする請求項１に記載の折り畳みフットレスト。
【請求項８】
前記回転アームと前記固定ブロック間に、レンチを設置し、前記固定ブロック内に、二個の固定部を設置し、前記レンチの頭部を前記固定部に挿入することを特徴とする請求項７に記載の折り畳みフットレスト。
【請求項９】
前記固定部は、ノッチ、通孔、又は、凹槽であることを特徴とする請求項８に記載の折り畳みフットレスト。
【請求項１０】
搭載面は柔軟な布曲面、布平面、網状曲面、皮曲面、又は、皮平面であることを特徴とする請求項１に記載の折り畳みフットレスト。